(57)【要約】【課題】遠心圧縮機１の圧縮機効率の向上を十分に図りつつ、インペラ５の寿命を延ばすと共に、インペラ５の回転に必要な動力を低減すること。【解決手段】ケーシング３のシュラウド壁３ｆにおけるブレード９の前縁位置よりも下流側に下流補助穴１５が形成され、ケーシング３のシュラウド壁３ｆにおけるブレード９の前縁位置よりも上流側に上流補助穴１７が形成され、ケーシング３の内部に下流補助穴１５側から上流補助穴１７側へ空気の流れを許容する環状のトリートメントキャビティ１９が形成され、ケーシング３におけるシュラウド壁３ｆの径方向外側にトリートメントキャビティ１９内に微細水滴Ｄを噴霧する噴霧機構２１が配設されたこと。【選択図】図１
2010048160.tif 000002
【特許請求の範囲】
【請求項１】
ガスを遠心力を利用して圧縮する遠心圧縮機において、
内側にシュラウド壁を有したケーシングと、
前記ケーシングの前記シュラウド壁内に回転可能に設けられ、軸心周りに回転可能なハブ、及び前記ハブの外周面に周方向に間隔を置いて設けられかつ外縁が前記ケーシングの前記シュラウド壁に沿うようにそれぞれ延びた複数枚のブレードを備えたインペラと、を具備し、                                 
前記ケーシングの前記シュラウド壁の上流側周縁部にガスを前記インペラ側へ給気する給気口が形成され、前記ケーシングの前記シュラウド壁の下流側周縁部に圧縮したガスを排気する環状の排気流路が形成され、
前記ケーシングの前記シュラウド壁における前記ブレードの前縁位置よりも下流側に下流補助穴が形成され、前記ケーシングの前記シュラウド壁における前記ブレードの前縁位置よりも上流側に上流補助穴が形成され、前記ケーシングの内部に前記下流補助穴側から前記上流補助穴側へガスの流れを許容する環状のトリートメントキャビティが形成され、
更に、前記ケーシングにおける前記シュラウド壁の径方向外側に配設され、前記トリートメントキャビティ内、前記上流補助穴内、又は前記下流補助穴内に微細水滴を噴霧する噴霧機構と、を具備したことを特徴とする遠心圧縮機。
【請求項２】
前記インペラの出口側のガス温度又はこのガス温度と相関関係にあるパラメータに基づいて前記噴霧機構の微細水滴の噴霧流量を制御する噴霧流量制御手段と、を具備したことを特徴とする請求項１に記載の遠心圧縮機。
【発明の詳細な説明】
【技術分野】
【０００１】
本発明は、空気等のガスを遠心力を利用して圧縮する遠心圧縮機に関する。
【背景技術】
【０００２】
近年、車両用過給機、船舶用過給機、ガスタービン等に用いられる遠心圧縮機について種々の開発がなされており、以下、一般的な遠心圧縮機について図３を参照して説明する。ここで、図３は、一般的な遠心圧縮機の側断面図である。なお、図面中、「Ｆ」は、前方向を指し、「Ｒ」は、後方向を指してある。
【０００３】
一般的な遠心圧縮機１０１は、ケーシング１０３を具備しており、このケーシング１０３は、内側に、シュラウド壁１０３ｆを有している。また、ケーシング１０３のシュラウド壁１０３ｆ内には、インペラ１０５が回転可能に設けられており、このインペラ１０５は、軸心（ハブ１０７の軸心、換言すれば、インペラ１０５の軸心）周りに回転可能なハブ１０７、及びこのハブ１０７の外周面に間隔を置いて設けられた複数枚（１枚のみ図示）のブレード１０９を有している。ここで、各ブレード１０９の外縁は、ケーシング１０３のシュラウド壁１０３ｆに沿うようにそれぞれ延びている。
【０００４】
ケーシング１０３のシュラウド壁１０３ｆの上流側周縁部（前側周縁部）には、空気（ガスの一例）をインペラ１０５側へ給気（吸入）する給気口（吸入口）１１１が形成されている。また、ケーシング１０３のシュラウド壁１０３ｆの下流側周縁部（後側周縁部）には、圧縮した空気を減速させて排気する環状のディフューザ流路（排気流路）１１３が形成されている。
【０００５】
従って、例えばモータの駆動等によって複数枚のブレード１０９をハブ１０７と一体的に回転させる（換言すれば、インペラ１０５を回転させる）。これにより、給気口１１１からインペラ１０５側に給気した空気を遠心力を利用して圧縮することができ、圧縮した空気をディフューザ流路１１３から減速させて排気することができる。
【０００６】
ところで、近年、遠心圧縮機１０１の高圧力比化のニーズが強まっており、それに伴って、主流の空気温度、特に、インペラ１０５の出口側の空気温度が上昇して、インペラ１０５のクリープ寿命が低下する傾向にある。その対応策として、微細水滴の気化熱による冷却作用によって主流の空気温度の上昇を抑える遠心圧縮機も開発されている（特許文献１参照）。
【０００７】
即ち、先行技術に係る遠心圧縮機にあっては、運転中に、ケーシングのシュラウド壁内におけるインペラの前方に配設した噴霧機構（噴霧ノズル）からインペラ側に向かって微細水滴を適宜に噴霧する。これにより、微細水滴を主流の空気中で気化して、この気化熱による冷却作用によって主流の空気温度を下げることができ、結果的に、インペラの出口側と入口側の空気温度の温度差を小さくすることができる。よって、インペラのクリープ寿命を延ばすと共に、遠心圧縮機における圧縮過程を等温圧縮過程に近づけて、インペラの回転に必要な動力を低減することができる。
【特許文献１】特開平１１−１４８４８９号公報
【発明の開示】
【発明が解決しようとする課題】
【０００８】
しかしながら、先行技術に係る遠心圧縮機にあっては、噴霧機構がケーシングのシュラウド壁内におけるインペラの前方に配設されているため、インペラの入口側において主流に乱れが生じ易く、遠心圧縮機の圧縮機効率の向上を阻害するおそれがある。
【０００９】
そこで、本発明は、遠心圧縮機の圧縮機効率の向上を十分に図りつつ、インペラの寿命を延ばすと共にインペラの回転に必要な動力を低減することができる、新規な構成の遠心圧縮機を提供することを目的とする。
【課題を解決するための手段】
【００１０】
本発明の特徴は、ガスを遠心力を利用して圧縮する遠心圧縮機において、内側にシュラウド壁を有したケーシングと、前記ケーシングの前記シュラウド壁内に回転可能に設けられ、軸心（ハブの軸心、換言すれば、インペラの軸心）周りに回転可能なハブ、及び前記ハブの外周面に周方向に間隔を置いて設けられかつ外縁が前記ケーシングの前記シュラウド壁に沿うようにそれぞれ延びた複数枚のブレードを備えたインペラと、を具備し、前記ケーシングの前記シュラウド壁の上流側周縁部にガスを前記インペラ側へ給気する給気口が形成され、前記ケーシングの前記シュラウド壁の下流側周縁部に圧縮したガスを排気する環状の排気流路が形成され、前記ケーシングの前記シュラウド壁における前記ブレードの前縁位置よりも下流側に下流補助穴が形成され、前記ケーシングの前記シュラウド壁における前記ブレードの前縁位置よりも上流側に上流補助穴が形成され、前記ケーシングの内部に前記下流補助穴側から前記上流補助穴側へガスの流れを許容する環状のトリートメントキャビティが形成され、更に、前記ケーシングにおける前記シュラウド壁の径方向外側に配設され、前記トリートメントキャビティ内、前記上流補助穴内、又は前記下流補助穴内に微細水滴を噴霧する噴霧機構と、を具備したことを要旨とする。
【００１１】
なお、特許請求の範囲及び明細書において、「上流側」とは、主流の流れ方向から見て上流側のことであって、「下流側」とは、主流の流れ方向から見て下流側のことである。
【００１２】
本発明の特徴によると、前記遠心圧縮機を運転する場合には、複数枚の前記ブレードを前記ハブと一体的に回転させる（換言すれば、前記インペラを回転させる）。これにより、前記給気口から前記インペラ側に給気したガスを遠心力を利用して圧縮することができ、圧縮したガスを前記排気流路から排気することができる。
【００１３】
ここで、前記遠心圧縮機の運転中において、前記インペラの入口側のガス流量が少なくなると、前記インペラ側へ給気したガスの一部が逆流して、前記下流補助穴から前記トリートメントキャビティ内に流入する。そして、前記トリートメントキャビティ内に流入したガスは、前記下流補助穴側から前記上流補助穴側へ流れて、前記上流補助穴から流出して、再び前記インペラ側に給気される。換言すれば、前記遠心圧縮機のサージング現象を抑制するように、前記下流補助穴と前記上流補助穴の間において循環流を生成することができる。
【００１４】
また、前記インペラの入口側のガス流量が少ないときに、前記噴霧機構から前記トリートメントキャビティ内、前記上流補助穴内、又は前記下流補助穴内に微細水滴を噴霧する。これにより、微細水滴を循環流に乗せて前記上流補助穴から主流に移流させて、主流のガス中で気化して、この気化熱による冷却作用によって主流のガス温度を下げることができ、結果的に、前記インペラの出口側と入口側のガス温度の温度差を小さくすることができる。ここで、前記噴霧機構が前記ケーシングにおける前記シュラウド壁の径方向外側に配設されているため、前記噴霧機構による微細水滴の噴霧によって主流に乱れが生じることはない。
【発明の効果】
【００１５】
本発明によれば、前記インペラの入口側において主流に乱れを生じさせることなく、微細水滴を主流のガス中で気化して、この気化熱による冷却作用によって主流のガス温度を下げて、前記インペラの出口側と入口側のガス温度の温度差を小さくすることができるため、前記遠心圧縮機の圧縮機効率の向上を十分に図りつつ、前記インペラの寿命を延ばすと共に、前記遠心圧縮機における圧縮過程を等温圧縮過程に近づけて、前記インペラの回転に必要な動力を低減することができる。
【発明を実施するための最良の形態】
【００１６】
本発明の実施形態について図１及び図２を参照して説明する。
【００１７】
ここで、図１は、本発明の実施形態に係る遠心圧縮機の側断面図、図２は、本発明の実施形態に係る遠心圧縮機の作用の説明図である。なお、図面中、「Ｆ」は、前方向を指し、「Ｒ」は、後方向を指してある。
【００１８】
図１に示すように、本発明の実施形態に係る遠心圧縮機１は、車両用過給機、船舶用過給機、ガスタービン等に用いられ、空気（ガスの一例）を遠心力を利用して圧縮するものである。そして、本発明の実施形態に係る遠心圧縮機１の具体的な構成は、以下のようになる。
【００１９】
遠心圧縮機１は、ケーシング３を具備しており、このケーシング３は、内側に、シュラウド壁３ｆを有している。また、ケーシング３は、車両用過給機等における別のケーシング（図示省略）に一体的に取付られている。
【００２０】
ケーシング３のシュラウド壁３ｆ内には、インペラ５が回転可能に設けられている。具体的には、ケーシング３のシュラウド壁３ｆ内には、ハブ７が設けられており、このハブ７の外周面は、軸心方向（ハブ７の軸心方向、換言すれば、インペラ５の軸心方向）から徐々に径方向（ハブ７の径方向、換言すれば、インペラ５の径方向）外側に向かって延びている。また、ハブ７は、別のケーシングに回転可能に設けられたロータ軸Ｓの一端部（前端部）に一体的に連結されてあって、軸心（ハブ７の軸心、換言すれば、インペラ５の軸心）周りに回転可能である。更に、ハブ７の外周面には、複数枚（１枚のみ図示）のブレード９が周方向に間隔を置いて設けられており、各ブレード９の外縁は、ケーシング３のシュラウド壁３ｆに沿ってそれぞれ延びている。
【００２１】
ケーシング３のシュラウド壁３ｆの前側周縁部には、空気をインペラ５側へ給気（吸入）する給気口（吸入口）１１が形成されており、ケーシング３のシュラウド壁３ｆの後側周縁部には、圧縮した空気を減速させて排気する環状のディフューザ流路（排気流路）１３が形成されている。なお、ケーシング３の内部には、スクロール流路（図示省略）がディフューザ流路１３を囲むように形成されており、このスクロール流路は、例えば内燃機関等の吸気マニホールド（図示省略）に接続可能である。
【００２２】
ケーシング３のシュラウド壁３ｆにおけるブレード９の前縁位置よりも下流側には、スリット状の１つ又は複数（１つのみ図示）の下流補助穴１５が周方向に沿って形成されており、ケーシング３のシュラウド壁３ｆにおけるブレード９の前縁位置よりも上流側には、スリット状の１つ又は複数（１つのみ図示）の上流補助穴１７が周方向に沿って形成されている。ここで、ケーシング３の内部には、下流補助穴１５側から上流補助穴１７側へ空気の流れを許容する環状のトリートメントキャビティ１９が形成されており、このトリートメントキャビティ１９は、下流補助穴１５と上流補助穴１７に連通してある。
【００２３】
なお、スリット状の１つ又は複数の下流補助穴１５及び／又は上流補助穴１７が周方向に沿って形成される代わりに、丸孔状又は角孔状の複数の下流補助穴及び／又は上流補助穴が周方向に間隔を置いて形成されるようにしても構わない。
【００２４】
ケーシング３におけるシュラウド壁３ｆよりも径方向外側には、トリートメントキャビティ１９内に微細水滴Ｄを噴霧する複数（１つのみ図示）の噴霧機構（噴霧ノズル）２１が支持パイプ２３を介して設けられており、複数の噴霧機構２１は、周方向に間隔を置いて配置してある。また、複数の噴霧機構２１は、水滴を生成する水滴生成器２５に接続回路２７を介して接続されており、接続回路２７の途中には、電磁比例制御弁等の流量制御弁２９が配設されている。ここで、噴霧機構２１より噴霧される微細水滴Ｄの水滴径は、１０μｍ以下であって、望ましくは、３．０μｍ以下である。
【００２５】
なお、トリートメントキャビティ１９内に微細水滴Ｄを噴霧する噴霧機構２１の代わりに、上流補助穴１７内又は下流補助穴１５内に微細水滴Ｄを噴霧する噴霧機構を用いても構わない。
【００２６】
ケーシング３の近傍には、コントローラ３１が配設されており、このコントローラ３１には、前述の流量制御弁２９の他に、インペラ５の出口側の空気温度を検出する温度センサ３３が電気的に接続されている。そして、コントローラ３１は、温度センサ３３によって検出された検出値（インペラ５の出口側の空気温度）に基づいて、流量制御弁２９の開口度を調節して噴霧機構２１の微細水滴Ｄの噴霧流量を制御する噴霧流量制御部としての機能を有している。具体的には、コントローラ３１は、温度センサ３３によって検出された検出値が目標温度よりも高い場合には、流量制御弁２９の開口度を大きくして噴霧機構２１の微細水滴Ｄの噴霧流量を多くすると共に、温度センサ３３によって検出された検出値が目標温度よりも低い場合には、流量制御弁２９の開口度を小さくして噴霧機構２１の微細水滴Ｄの噴霧流量を少なくするものである。ここで、目標温度とは、水蒸気の飽和温度以上に予め設定された温度のことである。
【００２７】
なお、インペラ５の出口側の空気温度に基づいて噴霧機構２１の微細水滴Ｄの噴霧流量を制御する代わりに、例えばインペラ５の出口側の空気流量等、インペラ５の出口側の空気温度と相関関係にあるパラメータに基づいて噴霧機構２１の微細水滴Ｄの噴霧流量を制御しても構わない。
【００２８】
続いて、本発明の実施形態の作用及び効果について説明する。
【００２９】
遠心圧縮機１を運転する場合には、例えばモータ（図示省略）の駆動又はタービンホイール（図示省略）の回転等によりロータ軸Ｓを回転させて、複数枚のブレード９をハブ７と一体的に回転させる（換言すれば、インペラ５を回転させる）。これにより、給気口１１からインペラ５側に給気した空気を遠心力を利用して圧縮することができ、圧縮した空気をディフューザ流路１３から排気することができる。
【００３０】
ここで、遠心圧縮機１の運転中において、インペラ５の入口側の空気流量が少なくなると、図２に示すように、インペラ５側へ給気した空気の一部が逆流して、下流補助穴１５からトリートメントキャビティ１９内に流入する。そして、トリートメントキャビティ１９内に流入した空気は、下流補助穴１５側から上流補助穴１７側へ流れて、上流補助穴１７から流出して、再びインペラ５側に給気される。換言すれば、遠心圧縮機１のサージング現象を抑制するように、下流補助穴１５と上流補助穴１７の間において循環流を生成することができる。
【００３１】
また、インペラ５の入口側の空気流量が少ないときに、コントローラ３１によってインペラ５の出口側の空気温度に基づいて噴霧機構２１の微細水滴Ｄの噴霧流量を制御しつつ、噴霧機構２１からトリートメントキャビティ１９内に微細水滴Ｄを噴霧する。これにより、微細水滴Ｄを循環流に乗せて上流補助穴１７から主流に移流させて、主流の空気中で気化して、この気化熱による冷却作用によって主流の空気温度を下げることができ、結果的に、インペラ５の出口側と入口側の空気温度の温度差を小さくすることができる。ここで、噴霧機構２１がケーシング３におけるシュラウド壁３ｆの径方向外側に配設してあるため、噴霧機構２１による微細水滴Ｄの噴霧によって主流に乱れが生じることはない。
【００３２】
従って、本発明の実施形態によれば、インペラ５の入口側において主流に乱れを生じさせることなく、微細水滴Ｄを主流の空気中で気化して、この気化熱による冷却作用によって主流の空気温度を下げて、インペラ５の出口側と入口側の空気温度の温度差を小さくすることができるため、遠心圧縮機１の圧縮機効率の向上を十分に図りつつ、インペラ５の寿命を延ばすと共に、遠心圧縮機１における圧縮過程を等温圧縮過程に近づけて、インペラ５の回転に必要な動力を低減することができる。
【００３３】
なお、本発明は、前述の実施形態の説明に限られるものではなく、その他、種々の態様で実施可能である。また、本発明に包含される権利範囲は、これらの実施形態に限定されないものである。
【図面の簡単な説明】
【００３４】
【図１】本発明の実施形態に係る遠心圧縮機の側断面図である。
【図２】本発明の実施形態に係る遠心圧縮機の作用の説明図である。
【図３】一般的な遠心圧縮機の側断面図である。
【符号の説明】
【００３５】
１        遠心圧縮機
３        ケーシング
３ｆ      シュラウド壁
５        インペラ
７        ハブ
９        ブレード
１１        給気口
１３        ディフューザ流路
１５        下流補助穴
１７        上流補助穴
１９        トリートメントキャビティ
２１        噴霧機構
２３        支持パイプ
２５        水滴生成器
２７        接続回路
２９        流量制御弁
３１        コントローラ
３３        温度センサ
Ｄ        微細水滴
【図１】
2010048160.tif 000003
【図２】
2010048160.tif 000004
【図３】
2010048160.tif 000005